(57)【要約】機械内に存在する検出器により現場で検出できる受動マーカーと、油組成物が機械内にあるとき該油組成物中の受動マーカーを現場で検出するための検出器とを含有する潤滑油組成物を含む潤滑油識別システム。この識別システムで使用するのに適する潤滑油組成物及び機械、並びに該機械を操作する方法も開示される。【特許請求の範囲】
【請求項１】
機械内に存在する検出器により現場で検出できる１種以上の受動マーカーを含む潤滑油組成物。
【請求項２】
受動マーカーが微粒子と分子種から選ばれる請求項１に記載の潤滑油組成物。
【請求項３】
受動マーカーが臭気剤分子である請求項１又は２に記載の潤滑油組成物。
【請求項４】
受動マーカーが無線周波識別（ＲＦＩＤ）チップ、生体磁気タグ及び磁気タグから選ばれる請求項１又は２に記載の潤滑油組成物。
【請求項５】
請求項１〜４のいずれか一項に記載の潤滑油組成物を提供する方法であって、潤滑油を提供し、機械内に存在する検出器により現場で検出するのに適した１種以上の受動マーカーを前記潤滑油に混ぜることを含む方法。
【請求項６】
無線周波識別（ＲＦＩＤ）チップ、磁気タグ、生体磁気タグ及び臭気剤分子のうちの１種以上についての、請求項１〜４のいずれか一項に記載の潤滑油組成物に対する受動マーカーとしての使用。
【請求項７】
請求項１〜４のいずれか一項に記載の潤滑油組成物が機械内にあるとき該潤滑油組成物における受動マーカーを現場で検出する検出器を含んだ機械。
【請求項８】
電子制御装置と検出器から該電子制御装置に信号を伝送する手段とを備える請求項７に記載の機械。
【請求項９】
機械内の油の状態を示す少なくとも１つのセンサーをさらに備える請求項７又は請求項８に記載の機械。
【請求項１０】
電子制御装置と前記少なくとも１つのセンサーから該電子制御装置に信号を伝送する手段とを備える請求項９に記載の機械。
【請求項１１】
前記機械がエンジンである請求項７〜１０のいずれか一項に記載の機械。
【請求項１２】
（ｉ）検出器を用いて、機械内の潤滑油の同一性についてのデータを与えること；
（ｉｉ）場合によっては前記少なくとも１つのセンサーを用いて、該潤滑油の状態を示すデータを与えること；及び
（ｉｉｉ）（ｉ）で得られたデータと、場合によっては（ｉｉ）で得られたデータとを利用して、いつ油の交換が必要かを求め、又は油の交換が必要なときを求めるのに用いることができる値を定めること
を含む請求項７〜１１のいずれか一項に記載の機械を操作する方法。
【発明の詳細な説明】
【技術分野】
【０００１】
本発明は、エンジンなどの機械において潤滑油を現場で識別するためのシステムに関する。特に、本発明は、エンジンなどの機械において現場で検出できる受動マーカーを含んだ潤滑油に関する。
【背景技術】
【０００２】
現在、エンジン内の流体、例えば、潤滑剤と燃料は、エンジンの数少ない特徴の一つを表し、それについての限られた情報でももしあればエンジン管理チップが受け取る。よくない潤滑剤がエンジン内で使用されていると、最適状態には及ばない車両性能やエンジンの故障でさえ起こり得る。したがって、確実かつ満足できるエンジン動作を保証するために、車両の製造業者（相手先商標製品製造供給企業、ＯＥＭ）は、通常は特定の潤滑剤の使用を推奨する。よって、エンジンの不具合を防ぐか又は診断するために、エンジン管理システムが現場で使用されている潤滑剤を識別し、ユーザーに知らせるか又はエンジン動作を調整できたなら有用であろう。
【０００３】
潤滑油の種類が異なれば、要求される油交換の時間周期も異なる。エンジン用に推奨される潤滑剤は１より多くあり、例えば１つの製品は、所与の油交換の時間周期を有する標準的な品質のものかもしれないし、もう１つの製品は、より高い品質であり油交換が必要となるまでのより長い期間の間エンジン内に入れておくことができるものかもしれない。よって、エンジン管理システムが、異なる種類の潤滑剤を区別し、その情報を用いて油交換が必要な時期を決定してそれを車両ユーザーに示すことができたならば有益である。
【０００４】
例えばＵＳ-Ａ-５９２８９５４やＥＰ-Ａ-１００１００３に記載されているように、潤滑油を識別する手段を開発する以前の試みは、主に色素を油に混ぜることを伴った。
【０００５】
例えば、ＵＳ-Ａ-５９２８９５４には、ガソリン、ディーゼル燃料、暖房用の油、潤滑油又は原油などの炭化水素に標識をつける方法が記載されており、標識の付けられるべき炭化水素が、相対的に少量の蛍光色素と混ぜ合わされる。次に、標識の付けられた炭化水素の存在が、色素を励起して可視スペクトル領域の上部分又は近赤外スペクトル領域の下部分の波長にて蛍光発光させることにより測定される。
【０００６】
同様に、ＵＳ-Ａ-５５２５５１６には、１種以上の近赤外蛍光性化合物（フルオロフォア）を中に混ぜることにより、識別用の不可視のマーキングを石油炭化水素に与える方法が開示されている。このフルオロフォアは、標識の付けられた炭化水素組成物を波長が６７０〜８５０ｎｍの範囲の近赤外線に当てて、発光される蛍光を近赤外光検出手段により検出することにより検出される。
【０００７】
ＥＰ-Ａ-０６３７７４３には、バルク液体の認証を可能にする方法と、バルク液体のその後の希釈を検出する方法が記載されている。これらの方法は、既知の量の化学ルミネセンス性マーカー物質を薄めていないバルク液体に入れることを伴うと考えられる。次に、その後の希釈のために認証又は分析されるべきバルク液体がサンプリングされ、そのサンプルが、化学ルミネセンス反応を引き起こすのに必要な条件に置かれる。もし反応が起これば、それにより真正であることが確認される。いずれの反応の特徴でも薄めていないバルク液体に対応するそれらの特徴と比較することで、バルク液体が希釈されたか否かを決めることができる。
【０００８】
ＵＳ-Ａ-５９４２４４４には、識別のために製品に標識をつける方法が記載されており、プリント分子、プリント分子類似物、又は分子的にインプリントされた分子から成るマーカーが、製品に添加され、続いて特定の結合アッセイで測定される。ＵＳ-Ａ-５９４２４４４では、製品のサンプルを製造してマーカーのアッセイを行うことは、製品からのマーカー化合物の抽出；水性又は有機溶剤による製品の希釈；濾過；蒸発；沈殿；及びマーカー化合物の固相抽出、例えばイオン交換樹脂を用いたマーカー化合物の精製、クロマトグラフィー（例えばシリカを用いる）、又は分子的にインプリントされた固相抽出（ＭＩＳＰＥ）クロマトグラフィーから選択される１以上のステップを含むことが示されている。
【０００９】
ＵＳ-Ａ-５４２９９５２には、製品に標識を付けた後に製品の識別手段として製品中のマーカーを検出する方法が開示される。この方法は、マーカーとしてのハプテンを製品に関連付けるステップ（このハプテンは、製品に対して無害で、製品に対して不活性で、製品に既に関連付けられてはいないものである）；及びハプテンを相補的な結合部材に特定的に結合させることにより、製品を識別する手段として後の時点で製品中のハプテンを検出するステップを含む。潤滑油、ガソリン、ディーゼル及び液化石油製品などの油ベースの製品は、ＵＳ-Ａ-５４２９９５２の方法によって標識を付けて分析できることが示されているが、イムノアッセイではマーカーを水溶液にする必要がある。標識の付けられた油ベースの製品の場合、このことは溶剤抽出を要すると考えられる。実際、この点について、ＵＳ-Ａ-５４２９９５２の例３には、標識の付けられた潤滑油のアッセイが、イムノアッセイの前に０．０５Ｍ  Ｔｒｉｓ／ＨＣｌ  ｐＨ７．５中に５容量のヘキサンと１容量の２０％アセトニトリルとを有するｍ−フェノキシ安息香酸マーカーを抽出することを含むことが示されている。
【００１０】
ＵＳ-Ａ-５４２９９５２の一部継続出願であるＵＳ-Ａ-５７７６７１３には、ＵＳ-Ａ-５４２９９５２に記載のものと同様の方法が開示されており、そのマーカーは、事前生成された高分子化合物に共有結合したハプテンである。
【００１１】
ＷＯ-Ａ-９６／００２７１には、カルボニル化合物を用いてモーターの燃料、暖房用の油及びエンジン油などの炭化水素に標識を付けることが記載されている。しかしながら、これらの化合物の検出では、水性アルコール又は水性アセトン中の鉄（III）塩溶液でこれらの炭化水素のサンプルを処理する必要がある。例えば、標準温度と標準圧力にて凝集の液体状態にある炭化水素の試験は、通常は約２０ｍｌのマーカー含有炭化水素と約２ｍｌの試薬液を約１５〜２０秒間勢いよく振ることにより実行されることが示されている。相分離すると、下側の水相は色変化する。
【００１２】
上記従来の方法の問題は、エンジン内の潤滑剤を識別するために、潤滑剤のサンプルをエンジンから取り出して分析する必要があることである。その結果、これらの方法は一般に厄介で時間も掛かり、特に、データをエンジン管理チップに与えるには適さない。
【００１３】
エンジン内に存在している間に潤滑剤を識別する方法は開発されたが、この識別は、油の粘度などの相対的に粗い情報に基づいている。ＵＳ-Ａ-５２７４３３５では、間隔を置いた２つの電極、三角波手段、比較手段及び信号手段を備えたオンボードセンサーが、２行程サイクルエンジン油と４行程サイクルエンジン油を区別するために油の金属含有量を指示する。従来技術のオンボード測定において油に関して与えることができる情報は限られており、例えば、異なるブランドの潤滑油を区別するのには使用できない。
【００１４】
上述した従来の方法の課題を回避するようなエンジン内の潤滑油を識別する改良システムのニーズは依然として存在する。
【特許文献１】ＵＳ-Ａ-５９２８９５４
【特許文献２】ＥＰ-Ａ-１００１００３
【特許文献３】ＵＳ-Ａ-５５２５５１６
【特許文献４】ＥＰ-Ａ-０６３７７４３
【特許文献５】ＵＳ-Ａ-５９４２４４４
【特許文献６】ＵＳ-Ａ-５４２９９５２
【特許文献７】ＵＳ-Ａ-５７７６７１３
【特許文献８】ＷＯ-Ａ-９６／００２７１
【特許文献９】ＵＳ-Ａ-５２７４３３５
【発明の開示】
【発明が解決しようとする課題】
【００１５】
本発明は、エンジンなどの機械内に存在する検出器により現場で検出できる１種以上の受動マーカーを含む潤滑油組成物を提供する。
【課題を解決するための手段】
【００１６】
受動マーカーは、潤滑剤の同一性についての情報を与え、例えば、特定の潤滑油（すなわち、ブランド名及び／又は性能仕様及び／又は粘度グレードなどにより特徴付けられるもの）は、それに添加される固有のマーカーを有することになる。エンジンなどの機械において現場で検出できる識別マーカーを潤滑油に意図的に添加することにより、油の同一性に関するより正確で具体的な情報を与えることができるだけでなく、この情報は、機械の電子制御装置又は管理チップにより有利に利用できることが分かった。本発明の潤滑油は、適当な機械（例えばエンジン）に使用されると、機械管理チップが潤滑油のブランド又はグレードを区別し、それに応じて例えば、ユーザーに知らせ且つ／又は機械動作を調整することで反応できるようにする。この潤滑油はまた、不正潤滑油がエンジンなどの機械に用いられないことを保証するのに使用できる。
【００１７】
好ましくは、受動マーカーは、動作中又は運転中の機械内にて現場で検出され得る。
【００１８】
「機械」は、潤滑システムを有する任意の機械装置を意味し、産業機械やエンジン、例えば自動車のエンジンが挙げられる。
【００１９】
これらのマーカーは、実質的に潤滑油の性能と干渉せず、油の潤滑機能に寄与せず、油の標準的な成分を形成しない点において、「受動的」である。
【００２０】
本発明の識別システムに適した受動マーカーとしては、微粒子や分子種が挙げられる。適する微粒子の例は、無線周波識別（ＲＦＩＤ）チップ、磁気タグ及び生体磁気タグである。適する分子種の例は、臭気剤分子である。
【００２１】
本発明の一態様では、マーカーは、油を使用する機械（例えばエンジン）における油フィルターを通過するようなサイズを有する。本発明のこの態様では、好ましくはマーカーは、分子種、例えば、電子鼻により検出できる臭気剤分子である。好ましくはマーカーは、臭気剤分子である。本発明において臭気剤分子の選択は制限されない。しかしながら、商品名「Ｒａｌｌｅｙ」、「Ｂｌｕｅ  Ｓｐｉｒｉｔ」、「Ｌｅｍｏｎ  Ｔｏｐ」又は「Ｐｅｔｒｏｌｉｃａ」（すべてＳｙｍｒｉｓｅ（以前はＤｒａｇｏｃｏとして知られる）により製造）で知られたものなどの化合物から選択するのが好ましい。マーカーが臭気剤分子の場合には、潤滑油組成物中に０．０１〜０．５体積％の量が存在するのが好ましい。ほんの小サイズのＲＦＩＤチップ、磁気タグ又は生体磁気タグなどの微粒子もまた、本発明のこの態様に適する。
【００２２】
本発明の別の態様では、受動マーカーは、油を使用する機械（例えばエンジン）において油フィルターを通過しないようなサイズである。本発明のこの態様では、好ましくは、マーカーは、５〜５０ミクロンサイズのフィルターメッシュを通過しないような大きさを有する。潤滑油中のマーカーの濃度は、油フィルターの作用と実質的に干渉しないようなものである。潤滑油は、４リットルの潤滑油当たり１〜１０個の受動マーカーを含むのが好ましい。本発明のこの態様では、好ましくはマーカーは無線周波識別（ＲＦＩＤ）チップ又は磁気タグである。さらに好ましくはマーカーはＲＦＩＤチップである。
【００２３】
適するＲＦＩＤチップの例は、日立製μチップである（詳細は例１参照）。動作中、マーカーは油フィルター中に収集され、そこで検出器により検出される。次に、捕獲されるマーカーは、次の油交換時に油フィルターから除去され得る。それからこれらのマーカーは、リサイクルされるか又は廃棄され得る。
【００２４】
本発明の別の態様では、上述した識別システムで使用するのに適した潤滑油を提供する方法が提示され、この方法は、潤滑油を与えること、及び機械内に存在する検出器により現場で検出するのに適した１種以上の受動マーカーを該潤滑油に混ぜることを含む。１種以上の受動マーカーを潤滑油に混ぜるのは、例えば、潤滑剤混合プラントで行うことができる。
【００２５】
本発明の別の態様では、無線周波識別（ＲＦＩＤ）チップ、磁気タグ、生体磁気タグ及び臭気剤分子のうち１種以上について潤滑油用の受動マーカーとしての使用が提示される。
【００２６】
本発明の別の態様では、上述した潤滑油組成物中の受動マーカーを現場で検出する検出器を含んだエンジンなどの機械が提供される。
【００２７】
検出器の選択は、受動マーカーの選択に依存し、ある程度は機械内の検出器の位置も受動マーカーの選択に依存する。
【００２８】
ＲＦＩＤμチップは、μリーダーにより検出でき（詳細は例１参照）、もしＲＦＩＤチップが、油フィルターにより捕獲されるようなサイズであるならば、μリーダーは油フィルター上又は近くに配置し得る。
【００２９】
バーコードに類似の形態を有する磁気タグ（ここでコード中のバーは、非常に柔らかく（低い保磁力）、高い透磁率の磁性合金から作られている）は、磁気リーダーを用いて読み出し又は検出ができる。適した磁気リーダーは、例えば、エンジン又は機械での使用に適したＵＳ-Ａ-６３７１３７９の磁気リーダーである。このリーダーは、タグ中に使用された磁性材料を飽和するのに十分な磁場強さのある領域により囲まれた、ゼロ磁場（ヌル（ｎｕｌｌ））の狭い領域を空間内に作る。一般に、低振幅の交流磁場が取り調べ領域に加えられることで、ヌル領域内の軟磁性要素が飽和化及び非飽和化され、それにより、取り調べ周波数の放射高調波を放射する。これらの高調波は検出でき、それらの発生時期は、ヌルに対する該要素の位置に関係する。一般に、ＵＳ-Ａ-６３７１３７９に記載のように数ミリメートルのリーダー-タグの分離に対して、５０ミクロンより大きな空間分解能が達成できる。
【００３０】
臭気剤分子に適する検出器は、電子「鼻」、例えば表面弾性波電子鼻、又は電子「舌」である。別の適当な電子鼻は、蒸気を検出するセンサーアレイに基づいたものである。例えば、ＣＹＲＡＮＯ  Ｓｃｉｅｎｃｅｓ社から商品名「Ｃｙｒａｎｏｓｅ  ３２０  Ｅｌｅｃｔｒｏｎｉｃ  Ｎｏｓｅ」として市販のエンジンや機械内で使用するのに適したデバイスにおいて利用されるセンサーアレイが適する（例２参照）。所与の潤滑剤に対し、センサーアレイは固有のにおい跡（ｓｍｅｌｌ  ｐｒｉｎｔ）を与える。このセンサーアレイは、潤滑油が固有の臭気剤を含んでいるか否かを検出でき、さらにまた、油が新鮮か又は部分酸化されているかを検出できる。
【００３１】
好ましくは、機械（例えばエンジン）は、電子制御装置を備え、信号は検出器から電子制御装置に伝送され得る。このことは、電気的に有線により、又はブルートゥース技術に対応する２．４５ＧＨｚの周波数を含めて適当な周波数での無線周波技術により実行できる。好ましくは、この機械は、信号を検出器から電子制御装置に伝送する手段を備える。
【００３２】
動作中、潤滑油は、検出器を含んだ機械（例えばエンジン）の中に入れられる。機械内の検出器は、受動マーカーが存在するか否かを検出する。それに従って、検出器は、信号を機械の電子制御装置中の機械管理チップに送る。機械管理チップは、機械に認可された油又は機械に認可されていない油として潤滑油を認識する。後者の場合は、マーカーが存在しない結果とし得る。機械管理チップは、これに従ってこの情報を処理する。例えば、もし潤滑剤がこの機械での使用に認可されていなければ、警告信号が例えば、車両ユーザーに与えられ得、機械管理チップは、次に車両がメンテナンス検査を受ける時に非認可の潤滑剤の使用をサービス修理工場にフラグ通知できる。もし潤滑剤が使用を認可されているならば、機械管理チップは、その特定の油の仕様に従って次の油交換までの時間周期を調整する。機械管理チップは、油交換の区間予測アルゴリズムを調整することにより、受け取った情報を処理できる。
【００３３】
したがって、本発明は、このような機械を操作する方法を提供し、
（ｉ）機械内の潤滑油の同一性についてのデータを提供する検出器を用いること；及び
（ｉｉ）（ｉ）で得られたデータを利用し、油交換が必要な時を求めるか、油交換が必要な時を求めるのに用いることができる値を設定すること
を含む。
【００３４】
本発明の別の態様では、機械は、機械内の潤滑油の状態を示す少なくとも１つのセンサーをさらに備える。
【００３５】
好ましくは、このセンサーは、潤滑剤システムにおける油の劣化速度に従って変化するパラメータを測定し、例えばセンサーは、油がどれほど酸化しているかについての測定値を与えることができる。センサーは、次の油特性：粘度、油レベル、温度、圧力、アルカリ度／酸性度、誘電率、静電容量、導電率及び比密度のうちの１又はそれより多くを測定できる。
【００３６】
好ましい実施態様では、機械は、油の全酸価（ＴＡＮ）に相関した示度を与えるｐＨセンサーをさらに備える。潤滑剤の酸化防止剤がなくなると、ＴＡＮは急速に上昇し始め、油を交換すべきことを示す。本発明のこの態様では、それからユーザー又は機械管理システムが、油の同一性についての情報と共に油の状態についての情報を用いて次の油交換が予定される時を求めることができる。この方法では、次の油交換が予定される時を、従来技術よりも正確に求めることができる。これは、特定の油の仕様を考慮するだけでなく、油の実際の状態をも考慮するからである。
【００３７】
例えば、エンジンに関しては、ＯＥＭにより推奨される油交換の間隔は、しばしば時間及び／又は走行距離に基づいている（例えばハンドブックではしばしば、１年ごと又は９０００マイルのどちらか早い方で油の交換が必要であることが記載されている）。しかしながら、これは、異なる種類のエンジンを用いたときの潤滑剤への効果を考慮していない。一般に、高速道路での高速長距離の走行は、頻繁な常温始動で短い距離の走行よりも油への「ストレス」が少ない。油の状態の測定値を利用して油交換が必要な時を算定することにより、駆動条件が油に与えた効果が、本質的に考慮される。
【００３８】
受動マーカーが臭気剤分子である場合、検出器がエンジン又は機械内の潤滑油の状態を示すセンサーとしても動作できるのが有利である。油が古くなるにつれ油のにおいが変わり、この変化は、油の状態の指示、したがって次の油交換が予定される時の指示として使用できる。
【００３９】
好ましくは、この機械は、信号を少なくとも１つのセンサーから該機械の電子制御装置又は機械管理チップに伝送する手段を備える。
【００４０】
動作中、機械が油の状態を測定するセンサーをさらに備えていれば、このセンサーは信号を機械管理チップにも送る。それに応じて、機械管理チップは、例えば油の同一性について受け取った情報と共に当該情報を用いて当該情報を処理し、次の油交換が必要な時を求め、又は次の油交換が必要な時を求めるための値を設定する。
【００４１】
したがって、本発明は、このような機械を操作する方法を提供し、該方法は、
（ｉ）検出器を用いて機械内の潤滑油の同一性についてのデータを提供すること；
（ｉｉ）少なくとも１つのセンサーを用いて油の状態を示すデータを提供すること；
（ｉｉｉ）（ｉ）と（ｉｉ）で得られたデータを利用して、油交換が必要な時を求めるか、又は油交換が必要な時を求めるのに用いることができる値を設定すること
を含む。
【００４２】
表示器を機械管理システム又は電子制御装置に接続し、存在する油の種類と次の油交換が予定される時をユーザーに示すことができる。
【００４３】
本発明の好ましい実施態様では、上述した機械はエンジンである。
【００４４】
本発明の別の態様によると、上述したエンジンを備える車両、及びこの車両を操作する方法が提供される。
【００４５】
本発明の別の態様によると、潤滑油識別システムが提供され、該システムは、
（ｉ）上述した潤滑油組成物；及び
（ｉｉ）油組成物が機械内にあるときこの油組成物中の受動マーカーを検出する検出器
を含む。
【００４６】
この識別システムはさらに、上述したような機械（例えばエンジン）を含み得る。
【実施例】
【００４７】
以下の例について本発明をさらに詳しく説明する。しかしながら、本発明はこれらに限定されない。
【００４８】
実施例１
この例では、ＲＦＩＤチップが潤滑油のマーカーとして使用された。使用したＲＦＩＤチップは、０．４ｍｍ×０．４ｍｍ×０．２２ｍｍ（厚み）の大きさの日立製μチップであった。日立製μチップは、３×１０３８個の一意的な識別数を記憶できる１２８ビット読み出し専用メモリを有し、２．４５ＧＨｚ（ブルートゥースと同じ）で動作し、無電池型チップである。検出器は、μリーダーであり、油フィルターに取り付けられる。これは、油フィルターのハウジングに取り付けることもできる。油４リットル当たり、１０個までの日立製μチップが加えられる。
【００４９】
動作中、μチップは、油フィルターに捕捉され、約２．４０〜２．５０ＧＨｚの周波数のマイクロ波パワーをμリーダーから受け取り、マイクロ波パワーから電気パワーを発生し、その一意的な識別番号を復号化してそのデータをμリーダーに伝送して戻す。リーダー中のソフトウエアが、μチップが検出されたこと及びその識別番号が何かをユーザーに警告する。読み取り応答時間が２０ｍｓのとき、３０ｃｍまでの読み取り距離が達成可能である。
【００５０】
実施例２
この例は、電子鼻が乗用車のモーター油について新鮮なサンプル、ひどく酸化したサンプル、及び臭気剤マーカーを含んだサンプルを区別できるように如何に訓練し得るかを示す。
【００５１】
この例で用いられる検出器又は電子鼻は、商品名「Ｃｙｒａｎｏｓｅ  ３２０  Ｅｌｅｃｔｒｏｎｉｃ  Ｎｏｓｅ」（ＣＹＲＡＮＯ  Ｓｃｉｅｎｃｅｓ  社製）として入手可能な市販の電子「鼻」である。使用した特定のモデルは、マルチメーター型であり、それ自体はエンジンでの使用には適さない。しかしながら、実際に蒸気を検出するセンサーアレイは、エンジンでの使用に適用し得る小チップである。このチップは、アレイに構成された３２の個別の薄膜カーボンブラック高分子複合材料の化学抵抗器(chemiresistors)を含む。このセンサー材料は、アルミナ基板上の２つの導線を横切って被着された薄膜であり、導電性化学抵抗器を作る。この複合膜が気相アナライトにさらされると、ポリマーマトリクスは、スポンジのように作用してアナライトを吸収しつつ膨らむ。体積が増えると、抵抗が増える。導電性カーボンブラックの材料中の通路が中断させられるからである。アナライトが除去されると、ポリマーはアナライトを開放して元の大きさに縮み、導電性通路を修復する。アレイ中で用いられる各ポリマーは、化学的に固有であり、アナライトガスを異なる程度まで吸収する。これが、アレイ間の異なる応答のパターンを作る。所与の潤滑剤の場合、センサーアレイは、固有の「におい跡(smell print)」を与える。
【００５２】
新鮮な油サンプルは、主要な潤滑剤の製造業者から入手した異なる粘度グレード、基油種類及び添加剤パッケージからなる一般的なガソリン及びディーゼルエンジン油の配合物から得た。
【００５３】
電子鼻が乗用車のモーター油の新鮮なサンプルとひどく酸化されたサンプルとを区別すべく如何に訓練できるかを調べるために、ひどく酸化された油サンプルを、１３ｔｈ  Ｉｎｔｅｒｎａｔｉｏｎａｌ  Ｃｏｌｌｏｑｕｉｕｍ  Ｔｒｉｂｏｌｏｇｙ（エスリンゲン、２００２年１月１５〜１７日）でＳｈｅｌｌ  Ｇｌｏｂａｌ  Ｓｏｌｕｔｉｏｎｓ（ＵＫ）により開示された方法により調製され、これは、新鮮な油サンプルを取り、Sｈｅｌｌ所有の実験室のブロンエア(blown air)酸化装置を用いることを含み、この装置において、１５０℃に保ち、所定の速度で空気中のＮＯＸを油を通して泡立たせ、酸化条件がＡＳＴＭ工業規格シーケンスＩＩＩＥエンジン試験と同様になるようにした。加えて、少量の金属触媒を潤滑油に加え、エンジン油の油受皿中に見られる典型的な摩耗金属濃度をシミュレートした。
【００５４】
油は様々な速度で酸化するので、サンプルは、期間を異ならせる条件下においた。実験室の試験では、潤滑剤がかなり酸化されたか否かを調べることができるように、全塩基価（ＴＢＮ）、全酸価（ＴＡＮ）、及び粘度の増加をモニターした。
【００５５】
この酸化サンプルの調製は、公に市販されている酸化サンプルの調製サービス（Ｓｈｅｌｌ  Ｇｌｏｂａｌ  Ｓｏｌｕｔｉｏｎｓ（ＵＫ）、Ｃｈｅｓｈｉｒｅ  Ｉｎｎｏｖａｔｉｏｎ  Ｐａｒｋ、Ｐ．Ｏ．Ｂｏｘ１、Ｃｈｅｓｔｅｒ  ＣＨ１  ３ＳＨ、ＵＫ（Ｅｍａｉｌ：shellglobalsolutions@OPC.shell.com)から利用でき宣伝もされている）を利用することにより実行した。
【００５６】
臭気剤を含んだ油サンプルは、商品名「Ｌｍｏｅｎ  Ｔｏｐ」で入手可能な臭気剤、又は商品名「Ｒａｌｌｅｙ」で（Ｓｙｍｒｉｓｅ（以前はＤｒａｇｏｃｏとして知られた）から）入手可能な臭気剤を潤滑油に混ぜることにより調製した。
【００５７】
これらの油サンプルは、上述した「Ｃｙｒａｎｏｓｅ  ３２０」マルチメーターを用いて試験した。行った実験の設定は次の通りである。
ベースライン・パージ：３０秒；ポンプ速度：中間
サンプル引き出し：９０秒；ポンプ速度：中間
サンプル引き出し２：０秒
スナウト（Ｓｎｏｕｔ）除去：０秒
第１サンプルガスパージ：０秒
第１空気取り入れパージ：３０秒；ポンプ速度：高
第２サンプルガスパージ：３０秒；ポンプ速度：高
第２空気取り入れパージ：３０秒；ポンプ速度：高
デジタルフィルタリング：オン
基板ヒーター：オン、３７℃
訓練繰り返し総数：１
識別繰り返し総数：１
動作センサー：０５、０６、２３及び３１はスイッチオフ、その他すべてオン
アルゴリズム：標準
前処理：自動スケーリング
正規化：１
識別品質：高等
【００５８】
試験のために以下の通りサンプルを調整した。きれいなプラスチックパステット（ｐａｓｔｅｔｔｅ）を用いて、約４ｍｌのサンプルを４０ｍｌのきれいなガラスビンに移し入れ、ＰＴＦＥブチル隔壁で密封した。次に、サンプルを５０℃のオーブンに１時間半入れておき、頭隙内で蒸気を平衡させた。Ｇ１５ルアー（ｌｕｅｒ）マウントの９ｃｍステンレス鋼の皮下注射針を鼻に取り付けて隔壁に突き刺し、サンプルを引き出した。サンプルの引き出し中に圧力が確実に均一化するように、別の針を用いてガラスビンに穴を開けた。
【００５９】
実施例２ａ
ガソリンエンジン油の１０の異なるサンプル、及びそれらの夫々の完全に酸化したものについて、「Ｃｙｒａｎｏｓｅ  Ｃ３２０」マルチメーターを「訓練」した。訓練サンプルをランダムに試験し、できるだけ多用途の訓練セットを作った。訓練セットの標準データを下の表１に示す。すべての新鮮な油データは、ファクター１に対して２．８〜５．９の範囲にあるが、すべての酸化された油データは、ファクター１に対して-５．２５〜-２．２の範囲にある。これら２つのデータセットは十分に分離しており、新鮮な油とひどく酸化した油を容易に区別できることは明らかである。
【００６０】
「Ｃｙｒａｎｏｓｅ  Ｃ３２０」マルチメーターで利用可能な「相互検証」オプションを用いて一旦訓練セットが検証されると、６つの「未知」サンプル（Ａ−Ｆ）をランダムに試験し、「Ｃｙｒａｎｏｓｅ  Ｃ３２０」マルチメーターがそれらを識別できたことを調べた。試験した未知サンプルのすべてが、新鮮であるか又は完全に酸化されているものとして正しく識別された。
【００６１】
初期の研究によりサンプル引き出しの最初の１０〜２０秒の間は誤った示度を示すことが確認されたので（水蒸気が存在し得ることに起因すると考えられる）、センサー０５、０６、２３及び３１はスイッチオフにした。
【００６２】
【表１】
2006501344.tif 000002
注  「ＨＥＬＩＸ」はＳｈｅｌｌの商標である。
【００６３】
実施例２ｂ
臭気剤分子を含有した新鮮な油を含んだ第２セットの実験を行った。この実験の標準的なプロットを表２に示す。新鮮な油データは、ファクター１に対して-３．３〜-８．５の範囲にあり、ファクター２に対して０．７５〜４．０の範囲にある。酸化された油データは、ファクター１に対して-５．６〜-６．１の範囲にあり、ファクター２に対して-０．９〜-３の範囲にある。臭気剤の添加された新鮮な油は、ファクター１に対して７〜１０．２の範囲にあり、ファクター２に対して-１．８〜０．１の範囲にある。ここでも、３つの異なるデータセットは十分に分離している。
【００６４】
表２は、「Ｃｙｒａｎｏｓｅ  Ｃ３２０  Ｅｌｅｃｔｒｏｎｉｃ  Ｎｏｓｅ」に含まれるセンサーが、新鮮な潤滑剤と劣化した潤滑剤を区別できること、及び新鮮な潤滑剤と臭気剤を含んだ新鮮な潤滑剤をも区別できることを示す。
【００６５】
【表２】
2006501344.tif 000003
【００６６】
表３は、３種類の油（新鮮な油、新鮮な油＋臭気剤、かなり酸化された油）の各々について「におい跡」のデータを示す。３つの種類の油の各々は、電子鼻により認識できる固有の「におい跡」を有する。各々の種類の油についてのデータは、各センサーの知覚出力（任意単位）における最大変化である。これらの実験ではセンサー５、６、２３及び３１はスイッチを切っておいた。
【００６７】
この例は、特定の臭気剤が油のマーカーとして如何に利用できるか、及び「Ｃｙｒａｎｏｓｅ  ３２０」電子鼻に見られるのと同じ種類のセンサーアレイを用いる電子鼻が、本発明の識別システムにおいて検出器として如何に利用できるかを示す。センサーからの出力は、（１）新鮮な油＋臭気剤（すなわち、油の特定の種類が識別できた）、（２）臭気剤のない新鮮な油、又は（３）かなり酸化された油であった。この出力は、車両の電子管理システムに送ることができる。もし信号（１）を受け取ったならば、エンジン管理システムは、潤滑剤の識別された特定種類がＯＥＭにより是認されたものであるか否かを検査できる。もし信号（２）を受け取ったならば、エンジン管理システムは、ＯＥＭが是認した潤滑剤を使用すべきことを車両のユーザーに警告できる。もしエンジン管理システムが信号（３）を受け取ったならば、潤滑剤を交換する必要があることをユーザーに勧めるのに光又は他の警告機構を用いることができる。
【００６８】
【表３】
2006501344.tif 000004
【表４】
2006501344.tif 000005
【手続補正書】
【提出日】平成16年12月7日(2004.12.7)
【手続補正１】
【補正対象書類名】特許請求の範囲
【補正対象項目名】請求項１
【補正方法】変更
【補正の内容】
【請求項１】
作動又は稼動中の機械内に存在する検出器により現場で検出できる１種以上の受動マー
カーを含む潤滑油組成物。
【手続補正２】
【補正対象書類名】特許請求の範囲
【補正対象項目名】請求項５
【補正方法】変更
【補正の内容】
【請求項５】
請求項１〜４のいずれか一項に記載の潤滑油組成物を提供する方法であって、潤滑油を
提供し、作動又は稼動中の機械内に存在する検出器により現場で検出するのに適した１種
以上の受動マーカーを前記潤滑油に混ぜることを含む方法。
【国際調査報告】
2006501344.tif 000006
2006501344.tif 000007
2006501344.tif 000008
2006501344.tif 000009